(57)【要約】【課題】リムーバルメモリデバイスの画像データを簡単に別のメモリにダウンロードできるようにする。【解決手段】外部メモリ１５，１７用として２つのスロット１４，１６を有するモジュールがテレビ受像機内に設けられている。第１のスロット１４はリムーバルメモリデバイス用である。第２のスロット１７はリムーバルメモリデバイスに対するバックアップメモリ用で、ＰＣＭＣＩＡ規格タイプIIのものが使用される。バックアップメモリは超小型のハードディスク装置などが使用される。リムーバルメモリデバイスから読み出した画像データがバックアップメモリに転送されてダウンロードされる。このダウンロード処理によってリムーバルメモリデバイスは再利用が可能になる。ダウンロード処理はテレビ画面を利用してリモコン操作で実現できるので、簡単である。【選択図】        図１
2005039617.tif 000002
【特許請求の範囲】
【請求項１】
信号処理用のＣＰＵを内蔵したモジュールであって、外部メモリに対する挿脱用として少なくとも２つのスロットを有するモジュールがテレビ受像機内に設けられ、
テレビ受像機の筐体に設けられた第１のスロットはリムーバルメモリデバイス用であり、第２のスロットは上記リムーバルメモリデバイスに対するバックアップメモリ用としても使用できるようになされたものであり、
当該モジュールでは、上記リムーバルメモリデバイスから読み出した画像データをテレビモニタに表示する機能と、上記リムーバルメモリデバイスから読み出した画像データを必要に応じて上記バックアップメモリに転送してダウンロードする機能を有することを特徴とするテレビ受像機。
【請求項２】
上記モジュールには、テレビ受像機内で選局された映像信号を信号処理すると共に、少なくとも信号処理された映像信号が画像データとして上記バックアップメモリに記録する機能が備えられたことを特徴とする請求項１記載のテレビ受像機。
【請求項３】
上記モジュールには、少なくとも上記第１のスロットに装着される上記リムーバルメモリデバイスに対するインタフェースと、上記第２のスロットに装着されるバックアップメモリに対するインタフェースと、選局された映像信号を処理する信号処理部とを有することを特徴とする請求項１記載のテレビ受像機。
【請求項４】
上記リムーバルメモリデバイスは、カード状記録媒体であることを特徴とする請求項１記載のテレビ受像機。
【請求項５】
上記第２のスロットは、ＰＣＭＣＩＡ用スロットであることを特徴とする請求項１記載のテレビ受像機。
【請求項６】
上記ＰＣＭＣＩＡ用スロットは、ＰＣカード規格タイプII用のスロットであることを特徴とする請求項５記載のテレビ受像機。
【請求項７】
上記バックアップメモリは、ＰＣカード規格タイプIIに準拠したカード状をなすハードディスクであることを特徴とする請求項１記載のテレビ受像機。
【発明の詳細な説明】
【技術分野】
【０００１】
この発明はテレビ受像機に関する。詳しくは、外部メモリに対する挿脱用として少なくとも２つのスロットを有するモジュールを内蔵し、第２のスロットに装着されるメモリを、第１のスロットに装着されるリムーバルメモリデバイスに対するバックアップ用としても使用できるようにしたものである。
【背景技術】
【０００２】
デジタルスチルカメラ（デジカメ）などの撮像機器で撮像した映像は、通常このデジタルスチルカメラに装着されるカード型のメモリ素子（リムーバルメモリデバイス）に記録される。リムーバルメモリデバイスの記録容量がフルになったときは、不要な映像を消去して新たな映像記録エリアを確保するか、新たにこのリムーバルメモリデバイスを買い換える必要がある。
【０００３】
リムーバルメモリデバイスは現在のところ比較的高価であるため、記録容量が一杯になったからと言って直ぐに買い求めることができない場合があり、そのようなときで、消去すべき映像がないようなときには、特許文献１に示されるようにパソコンなどに設けられたメモリ手段を、リムーバルメモリデバイスのバックアップ用（保存用）として使用することが考えられる。つまり、特許文献１のようにデジタルスチルカメラで撮像した画像データをパソコンのメモリ手段にダウンロードしてバックアップするものである。
【０００４】
こうすれば、既に記録された画像データを失うことなく、このリムーバルメモリデバイスを再びデジタルスチルカメラのメモリ手段として使用することができるからである。
【０００５】
一方、リムーバルメモリデバイス対応のテレビ受像機が知られている。このテレビ受像機にはリムーバルメモリデバイス用のスロットが設けられ、このスロットにリムーバルメモリデバイスを差し込むことで、リムーバルメモリデバイスに記録された画像をテレビ受像機のモニタに映し出して見ることができるようになっている。
【０００６】
【特許文献１】特開２０００−２０７１３２号公報
【発明の開示】
【発明が解決しようとする課題】
【０００７】
ところで、パソコンのメモリ手段をデジタルスチルカメラのバックアップ用として使用するにはパソコンの操作に慣れた人でないと、簡単にはリムーバルメモリデバイスの画像データをダウンロードすることができない。そのため、パソコン操作に不慣れな人、特に中高年以上の人には操作が複雑であるために推奨できない。
【０００８】
リムーバルメモリデバイス対応のテレビ受像機の場合には、リムーバルメモリデバイスの画像をテレビモニタに映し出すことしかできないので、テレビ受像機をリムーバルメモリデバイスのバックアップ用としては利用できない。
【０００９】
そこで、この発明はこのような従来の課題を解決したものであって、特にリムーバルメモリデバイス対応のテレビ受像機に、カード状の記録媒体を装着できるスロットを設けることで、このカード状記録媒体をリムーバルメモリデバイスのバックアップ用の記録媒体としても使用できるようにしたテレビ受像機を提案するものである。
【課題を解決するための手段】
【００１０】
上述の課題を解決するため、請求項１に記載したこの発明に係るテレビ受像機では、信号処理用のＣＰＵを内蔵したモジュールであって、外部メモリに対する挿脱用として少なくとも２つのスロットを有するモジュールがテレビ受像機内に設けられ、
テレビ受像機の筐体に設けられた第１のスロットはリムーバルメモリデバイス用であり、第２のスロットは上記リムーバルメモリデバイスに対するバックアップメモリ用としても使用できるようになされたものであり、
当該モジュールでは、上記リムーバルメモリデバイスから読み出した画像データをテレビモニタに表示する機能と、上記リムーバルメモリデバイスから読み出した画像データを必要に応じて上記バックアップメモリに転送してダウンロードする機能を有することを特徴とする。
【００１１】
この発明では、信号処理用のＣＰＵを内蔵したモジュールであって、外部メモリに対する挿脱用として少なくとも２つのスロットを有するモジュールをテレビ受像機内に設けられる。
【００１２】
テレビ受像機の筐体に設けられた第１のスロットはリムーバルメモリデバイス用として使用される。テレビ受像機の筐体に設けられた第２のスロットはリムーバルメモリデバイスに対するバックアップメモリ用としても使用される。
【００１３】
このモジュールでは、リムーバルメモリデバイスから読み出した画像データをテレビモニタに表示する機能の他に、リムーバルメモリデバイスから読み出した画像データを必要に応じてバックアップメモリに転送してダウンロードする機能を有する。ダウンロードすべき画像データは、リムーバルメモリデバイスに記録された画像データの全てでもよければ、その一部でもよい。
【００１４】
このモジュールには、さらにテレビ受像機内で選局された映像信号を信号処理すると共に、信号処理された映像信号を画像データとしてバックアップメモリに記録する機能が備えられている。信号処理された音声信号を音声データ（オーディオデータ）としてバックアップメモリに記録することもできる。このバックアップメモリに記録された画像データなどを取捨選択してリムーバルメモリデバイスにダウンロードすることもできる。
【００１５】
バックアップメモリやリムーバルメモリデバイスに記録すべき画像データの選択などの作業はテレビモニタに表示された画像を見ながら操作される。
【００１６】
リムーバルメモリデバイスは、メモリステックＭＳ、ＳＤ（Secure Digital Memory Card）、コンパクトフラッシュ（Ｒ）カードＣＦ、スマートメディアＳＭ（何れも商品名）などのいわゆるカード状記録媒体が使用される。そのため、第１のスロットとしては、このようなカード状記録媒体を挿脱できるような大きさのスロットが使用される。そのため、第１のスロットとしては、このようなカード状記録媒体を挿脱できるような大きさのスロットが使用される。
【００１７】
第２のスロットは、ＰＣＭＣＩＡ用スロット、特にこの例ではＰＣカード規格タイプII用のスロットが使用される。ここに、ＰＣＭＣＩＡとは、Personal Computer Memory Card International Associationの略である。
【００１８】
したがってこの第２のスロットに装着されるバックアップメモリとしては、ＰＣカード規格タイプIIに準拠したカード状をなす超小型のハードディスク装置（ハードディスクデバイス）が使用される。ＰＣカード規格タイプはタイプIIに限られるものではない。ここで、ＰＣカードとは、Personal Computer Cardの略である。
【発明の効果】
【００１９】
この発明は、２つ以上のスロットを設け、一方のスロットにリムーバルメモリデバイスを装着できるようにし、他方のスロットにはバックアップメモリを装着できるようにしたものである。
【００２０】
こうすれば、一方のスロットに装着されたリムーバルメモリデバイスに記録された情報を、他方のスロットに装着されたバックアップメモリにダウンロードすることができるので、リムーバルメモリデバイスの再利用が可能になる。また、パソコンのように専門の知識を持たなくても、テレビ画面を見ながら簡単に操作できる特徴を有する。
【発明を実施するための最良の形態】
【００２１】
続いて、この発明に係るテレビ受像機の実施例を図面を参照して詳細に説明する。
【００２２】
図２はこの発明に係るテレビ受像機１０におけるモニタ（テレビ本体）１２の一例を示すもので、モニタ１２の表示画面Ｓの下面側には、少なくとも２つのスロット１４，１６が併設される。一方のスロット（第１のスロット）１４はリムーバルメモリデバイス用であり、他方のスロット（第２のスロット）１６はこのリムーバルメモリデバイスのバックアップとしても機能するバックアップメモリ用である。
【００２３】
リムーバルメモリデバイスとしては、周知のように、メモリステックＭＳ、ＳＤ、コンパクトフラッシュ（Ｒ）カードＣＦ、スマートメディアＳＭなどのいわゆるカード状記録媒体を総称する。
そのため、第１のスロット１４としては、このようなカード状記録媒体を挿脱できるような大きさのスロットとなされている。
【００２４】
第２のスロット１６としては、ＰＣＭＣＩＡ用スロット、特にこの例ではＰＣカード規格タイプII用のスロットが使用される。したがってこの第２のスロット１６に装着されるバックアップメモリとしては、ＰＣカード規格タイプIIに準拠したカード状をなす超小型のハードディスク装置ＨＤＤ（マイクロデバイス（商品名）のような超小型ハードディスク装置）が使用される。
【００２５】
ＰＣカード規格タイプはタイプIIの厚さのものを例示したが、タイプIIに限られるものではなく、タイプＩや、タイプIIIなどＰＣカード規格のものも使用することができる。
【００２６】
このようにこの発明では、少なくとも２以上のスロットを設け、一方のスロットをリムーバルメモリデバイス用とし、他方のスロットを少なくともそのバックアップメモリ用として使用するものである。
【００２７】
図１はこのようなスロット１４，１６を有するテレビ受像機１０の系統図の一例を示すもので、アンテナ２０で受信されたテレビジョン信号はチューナ２２で希望放送局のテレビジョン信号が選局され、選局されたテレビジョン信号のうち映像信号はＡ／Ｄ変換器２４において一旦デジタル信号に変換される。デジタル信号に変換するのは後続における信号処理の関係である。
【００２８】
デジタル化された映像信号は画像処理部２６においてこの例では高画質化処理が施され、高画質化処理が施されたこの映像信号は後段のＤ／Ａ変換処理を含めた信号処理部２８に供給されてＤ／Ａ変換処理や、使用するモニタ１２の種類に応じた映像変換処理（走査変換処理）が施され、その後モニタ１２に供給されて受信映像が再現される。モニタ１２としては、ＣＲＴの他に、液晶やプラズマなどを使用した平面表示素子を使用することができ、信号処理部２８では使用するモニタ１２に応じた映像変換処理が実行される。
【００２９】
チューナ２２によって選局されたテレビジョン信号のうち音声信号（オーディオ信号）はアンプ３２を介してスピーカ３４より当該音声が再生される。
【００３０】
上述した選局処理、Ａ／Ｄ変換処理、高画質化処理およびＤ／Ａ変換処理などは何れも、ＣＰＵを内蔵したマイクロコンピュータ（マイコン）として構成された制御部４０からの指令に基づいて対応する信号処理が実行される。そのため、上述したチューナ２２，Ａ／Ｄ変換器２４，画像処理部２６，信号処理部２８などは何れもバス３６を介して制御部４０に接続されている。
【００３１】
上述したバス３６には、さらにリモコン受信部８６が接続され、本例ではリモコン９０からの遠隔制御信号（リモコン信号）に基づいて選局などの処理が実行されることになる。
【００３２】
この発明では第１および第２のスロット１４，１６に対応するメモリデバイスモジュール（外部メモリ用処理部）５０が設けられる。
このメモリデバイスモジュール５０には、少なくとも以下のような機能を有する。まず。第１のスロット１４に装着されたリムーバルメモリデバイスに記録された情報（画像又は音声情報）を読み取り、また必要に応じてこのリムーバルメモリデバイスに情報（画像又は音声情報）を再記録する機能である。
【００３３】
リムーバルメモリデバイスへの記録情報として考えられるのは、バックアップメモリに記録された情報の一部や、チューナ２２で選局された映像情報の一部が考えられる。
【００３４】
次には、第２のスロット１６に装着されたバックアップメモリに対してリムーバルメモリデバイスに記録されている情報（画像又は音声情報）をダウンロードして再記録したり、必要に応じて選局された情報（画像又は音声情報）を再記録する機能である。
【００３５】
さらに、リムーバルメモリデバイスやバックアップメモリに記録された情報をモニタ１２に表示するための信号処理機能である。このメモリデバイスモジュール５０には上述した一対のスロット１４，１６を介して読み出した情報（画像データや音声データなど）が供給される他に、チューナ２２で選局されたテレビジョン信号のうち、音声信号がＡ／Ｄ変換器３８を介して供給されると共に、Ａ／Ｄ変換器２４でデジタル処理された映像信号が供給される。
【００３６】
このメモリデバイスモジュール５０からは、画像処理部２６に対して映像情報が供給され、オーディオアンプ３２には音声信号が供給されるように構成されている。
【００３７】
このような機能を実現するためメモリデバイスモジュール５０は図３のように構成することができる。図３はその一例を示すもので、リムーバルメモリデバイス１５が装着される第１のスロット１４およびバックアップメモリ１７が装着されるＰＣＭＣＩＡカード用の第２のスロット１６が設けられたインタフェース部５１と、このインタフェース部５１との間のデータ授受などを制御するためのＣＰＵを有する制御部６２とを有する。
【００３８】
さらに、データ授受を実現するための処理プログラムなどが格納されたメモリ手段、この例ではフラッシュメモリ６４がバス６５を介して制御部６２と接続されている。制御部６２にはワーキング用のメモリ手段としてこの例ではＳＤＲＡＭ（Synchronous Dynamic RAM）が設けられている。
【００３９】
インタフェース部５１は、リムーバルメモリデバイス１５に関連してリムーバルメモリデバイス用インタフェース５２、バックアップメモリ１７に関連してＰＣＭＣＩＡカード用インタフェース５４が設けられている。これらの他に画像データを圧縮、伸長するためのビデオ用インタフェース５６、音声データを圧縮、伸長するためのオーディオ用インタフェース５８が設けられ、そしてこの例ではさらに音声データ制御用としてＩ2Ｃバス用のインタフェース６０が設けられている。
【００４０】
画像データおよび音声データは例えばＭＰＥＧ４（Moving Picture experts Group 4）圧縮方式によって圧縮処理される。リムーバルメモリデバイス１５やバックアップメモリ１７より読み出された画像データは、リムーバルメモリデバイス用インタフェース５２やＰＣＭＣＩＡカード用インタフェース５４およびビデオ用インタフェース５６を介してＳＤＲＡＭ６６に一旦保存され、画像表示モードであるならば、保存された画像データはフラッシュメモリ６４内の画像処理用プログラムを利用して制御部６２によってデコード処理（伸長処理）され、伸長された画像データが、再びビデオ用インタフェース５６を介して図１に示す画像処理部２６に供給される。高画質化処理された画像データはさらに信号処理部２８でアナログの画像データに戻されてからモニタ１２に供給される。これによって、リムーバルメモリデバイス１５やバックアップメモリ１７に記録された画像をモニタ１２に表示することができる。
【００４１】
リムーバルメモリデバイス１５に記録された画像データをバックアップメモリ１７にバックアップするときは、第１のスロット１４に装着されたリムーバルメモリデバイス１５から画像データが読み出されて、その画像をモニタ１２に表示した状態で、若しくは直接それぞれのインタフェース５２，５４を介して第２のスロット１６に装着されたバックアップメモリ１７に記録される。
【００４２】
リムーバルメモリデバイス１５としては、記録容量が比較的少ないメモリスティックなどのメモリデバイスが使用されるのに対して、バックアップメモリ１７としては超小型ハードディスク装置などのようにリムーバルメモリデバイス１５よりは遙かに記録容量の大きなメモリ手段が使用されることになるので、リムーバルメモリデバイス１５に記録された全ての画像データを、このバックアップメモリ１７にバックアップすることができる。もちろん、記録された画像データの一部をバックアップすることも可能である。
【００４３】
リムーバルメモリデバイス１５に記録された画像データの全部若しくはその一部を一旦バックアップメモリ１７にバックアップしてしまえば、その後はリムーバルメモリデバイス１５は未記録デバイスと同じ状態になるので、同一のリムーバルメモリデバイス１５を何度でも再利用できる。
【００４４】
バックアップメモリ１７には、受信したテレビジョン信号の画像データや音声データを記録することもできるので、バックアップメモリ１７に対する記録対象（画像データや音声データ）は、外部デバイスのみに限られない。
【００４５】
さて、図４はリムーバルメモリデバイス１６などに記録された画像データの表示例である。モニタ１２の表示画面Ｓの左側は編集するときに使用される機能名やボタン名などが表示され、その右側がインデックス表示エリア８０となされる。インデックス表示エリア８０には多数の画像データ（画像ファイル）を表示できるように、この例では４×４個の画像（静止画像など）が分割表示される。
【００４６】
機能名などを表示するエリアの中で、表示エリア７０は表示するデバイスの種類が表示される。図４の例は第１のスロット１４に装着されたリムーバルメモリデバイス１６、例えばメモリスティックＭＳからの画像データを読み出して表示している場合には、表示エリア７０には「ＭＳ」というように、リムーバルメモリデバイスの略称が表示される。画像データがフォルダに記録されているときは、セレクトフォルダ表示エリア７２にフォルダ名が表示される。
【００４７】
画像データをバックアップメモリ１７に記録するときにはバックアップモード開始ボタン７６のうち、最初にマニュアルモードボタン７４ａとオートモードボタン７４ｂの何れかのボタンが選択される。マニュアルモードを選択すると、画像データがインデックス表示され、表示された画像データのうち選択された画像データのみバックアップされる。オートモードでは画像データを例えばインデックス表示することなく、そのリムーバルメモリデバイス１５に記録されている画像データの全てが自動的にバックアップされる。
【００４８】
マニュアルモードを選択したときには、バックアップしたい画像をカーソル８２を移動しながら選択する。選択された画像に対してはその表示画像の下側に選択済みを示すマーク８４例えば「ＨＤＤ」なるマーク８４が表示される。したがって図４の例では画像８０ａと８０ｂがバックアップ用として選択した場合を示す。マーク８４の代わりに、選択済みを視覚的に容易に認識できるようなアイコン（絵文字）とすることもできる。
【００４９】
バックアップすべき画像の選択が終了したときには、バックアップ開始ボタン７６を選択することで、画像データのバックアップ処理が開始される。バックアップ処理の終了は自動的に行われる。ただし、この場合には表示エリア７８を使用してバックアップが終了した旨の表示がなされる。
【００５０】
オートモードでは、原則として画像データのインデックス表示はなされない。オートモードでは、リムーバルメモリデバイス１５に記録されている画像データの全てがバックアップされる。もちろん、マニュアルモードと同じように、リムーバルメモリデバイス１５に記録された画像データをインデックス表示することも可能であり、記録された画像データの枚数が多いときは、ページ送りやフォルダを選択することで表示枚数を超えた分の画像データを順次インデックス表示するようにしてもよい。
【００５１】
以上のような編集処理は、図５に示すリモコン９０を利用して指示することができる。図５はその一例を示すもので、リモコン本体９１の操作面には操作機器に対する電源を制御するための電源キー（オンキー）を含めたキー群９２が設けられ、その中央部には馬蹄形をなすモードセレクトキー群９３が設けられている。このモードセレクトキー群９３の中にダウンロードモードキー９３ａが存在する。モードセレクトキー群９３の中心部には決定キーを兼ねたシフトキー９４が設けられている。シフトキー９４によってカーソル８２を移動させてバックアップモードなどを選択する。リモコン本体９１の操作面の下面側にはテンキー（１０キー）群９５が位置する。
【００５２】
このようにテレビ画面を見ながら、リモコン９０を操作するだけで、簡単にリムーバルメモリデバイス１５に記録された画像データの全部又は一部をバックアップメモリ１７にダウンロードできる。そのため、パソコンなどのようにある程度専門的な知識を持たない者でも簡単にダウンロード処理を実行できるため非常に便利である。ダウンロードし終わったリムーバルメモリデバイス１５は何度でも再利用できるから、リムーバルメモリデバイス１５を買い換えないでも済むようになり、非常に経済的でもある。
【００５３】
以上説明した一連の処理は図３に示すフラッシュメモリ６４にストアされた処理プログラムを起動することによって実行される。図６はその一例を示すフローチャートである。
【００５４】
この処理を行う前提として、第１のスロット１４にはリムーバルメモリデバイス１５例えばメモリスティックＭＳが装着され、第２のスロット１６にはバックアップメモリ１７としてマイクロデバイスＭＤなどのハードディスク装置ＨＤＤが装着されているものとする。そしてメモリスティックＭＳに記録された画像データをハードディスク装置ＨＤＤにバックアップする場合の処理例を示す。
【００５５】
そのためには、図５に示すダウンロードモードキー９３ａが選択され、そして、バックアップモードが予め選択されているものとする。そうした場合、まずメモリスティックＭＳの装着状態がチェックされる（ステップ１０１）。メモリスティックＭＳが装着されていないときは、「メモリスティックＭＳがありません」と言ったメッセージがモニタ１２に表示される（ステップ１０２）。
【００５６】
メモリスティックＭＳが装着されていることが確認されると、次にハードディスク装置ＨＤＤの装着の有無がチェックされる（ステップ１０３）。ハードディスク装置ＨＤＤが装着されていないときは、「ハードディスク装置ＨＤＤがありません」のようなメッセージが表示される（ステップ１０４）。
【００５７】
ハードディスク装置ＨＤＤの装着が確認されると、バックアップモードが判別される。バックアップモードとして「マニュアル」モードが選択されているときは、メモリスティックＭＳ内の画像データが読み出されて図４のようにインデックス表示される（ステップ１０６）。その後インデックス表示された画像の中からカーソル８２を移動させながらバックアップ（ダウンロード）すべき画像データが選択される。つまり画像データファイルの選択処理が行われる（ステップ１０７）。
【００５８】
その後、バックアップすべき画像データの選択処理が全て終了し、バックアップ開始ボタン７６が操作されると（ステップ１０８）、ハードディスク装置ＨＤＤに記録できる残容量があるかどうかがチェックされる（ステップ１０９）。記録容量が一杯であるときには、記録容量がフルのためバックアップできない旨の表示を行うと共に、バックアップ処理を終了する旨の表示を行ってバックアップ処理を終了する（ステップ１１０，１１１）。
【００５９】
ハードディスク装置ＨＤＤに画像データを記録するための記録容量が残っているときには、ハードディスク装置ＨＤＤへの画像データの書き込み処理（バックアップであるダウンロード処理）が行われ（ステップ１１２）、選択された画像データの全てが書き込まれたときには、そのダウンロード処理が自動的に終了し、終了したときにはその旨の表示がなされる（ステップ１１１）。
【００６０】
ステップ１０５でオートモードが選択されていると判断されたときは、ハードディスク装置ＨＤＤの記録残量をチェックした上で、上述したと同じようなバックアップ処理がなされる（ステップ１０９〜１１１）。
【００６１】
上述したダウンロード例の他に、テレビ受像機内で選局された映像信号を信号処理すると共に、信号処理された映像信号が画像データとしてバックアップメモリ１７に記録することもできるし、このバックアップメモリ１７に記録された画像データを読み出してモニタ１２にその静止画像をインデックス状に分割表示し、その中から選択した画像データのみをリムーバルメモリデバイス１５に再記録することできる。このような処理機能を備えることによって、リムーバルメモリデバイス１５をデジタルカメラを始めとして、携帯電話やＰＤＡ（Personal Digital Assistants）などの携帯端末装置に装着することで、保存した画像データを外出先で簡単に再生表示することができる。
【００６２】
リムーバルメモリデバイス１５に記録された情報が音声データであるときおよびテレビ受像機１０内で信号処理された音声信号を音声データをそれぞれオーディオデータとしてバックアップメモリ１７に記録することもできる。ダウンロードすべき画像データは静止画の他に、動画でもよい。
【産業上の利用可能性】
【００６３】
この発明はリムーバルメモリデバイス対応のテレビ受像機などに適用して極めて好適である。
【図面の簡単な説明】
【００６４】
【図１】この発明に係るテレビ受像機の実施の形態を示す要部の系統図である。
【図２】テレビ受像機本体の構成例である。
【図３】リムーバルメモリデバイス用モジュールの実施の形態を示す要部の系統図である。
【図４】ダウンロード時におけるモニタの表示例である。
【図５】リモコンのキー配列例である。
【図６】この発明に係るダウンロード処理に適用できる処理プログラムの一例を示すフローチャートである。
【符号の説明】
【００６５】
１０・・・テレビ受像機、１２・・・テレビモニタ、Ｓ・・・表示画面、１４・・・・第１のスロット、１５・・・リムーバルメモリデバイス、１６・・・第２のスロット、１７・・・バックアップメモリ、５０・・・メモリデバイスモジュール、５１・・・インタフェース部、６２・・・ＣＰＵ、６４・・・プログラム格納用フラッシュメモリ、６６・・・ワーキング用ＳＤＲＡＭ、５２・・・リムーバルメモリデバイス用インタフェース、５４・・・ＰＣＭＣＩＡ用インタフェース
【図１】
2005039617.tif 000003
【図２】
2005039617.tif 000004
【図３】
2005039617.tif 000005
【図４】
2005039617.tif 000006
【図５】
2005039617.tif 000007
【図６】
2005039617.tif 000008